(57)【要約】【課題】  固定されたネットワークセグメントに接続していない機器の所在を把握する。【解決手段】      機器管理手段１００は、データ通信を行うためのネットワークに接続している。機器管理手段１００は、機器を識別する機器情報を取得する機器情報取得手段１１０と、使用者を識別する使用者情報を取得する使用者情報取得手段１２０と、使用者の所在を示す使用者情報を保持する使用者所在情報保持手段１３０と、機器管理情報保持手段１４０と、を有している。機器管理情報保持手段１４０は、機器情報２と使用者情報３と使用者所在情報４との対応を表す機器管理情報５を保持する。【選択図】      図１
2015230593.tif 000002
【特許請求の範囲】
【請求項１】
データ通信を行うためのネットワークと、前記ネットワークに接続する機器を管理する機器管理手段と、を有し、前記機器管理手段は、前記ネットワークから前記機器を識別する機器情報を取得する機器情報取得手段と、前記ネットワークから前記機器の使用者を識別する使用者情報を取得する使用者情報取得手段と、前記使用者の所在を表す使用者所在情報を保持する使用者所在情報保持手段と、前記機器情報と前記使用者情報と前記使用者所在情報との対応を表す機器管理情報を保持する機器管理情報保持手段と、を有することを特徴とする機器管理システム。
【請求項２】
前記機器管理手段が、前記機器管理情報を出力する機器管理情報出力手段を有する、ことを特徴とする請求項１に記載の機器管理システム。
【請求項３】
前記ネットワークが、無線によるアクセスが可能である、ことを特徴とする請求項１または請求項２に記載の機器管理システム。
【請求項４】
前記機器管理手段が、前記機器または使用者が配置されるフロアのレイアウト情報を保持するフロアレイアウト情報保持手段を有する、ことを特徴とする請求項１乃至請求項３いずれか一項に記載の機器管理システム。
【請求項５】
前記フロアレイアウト情報が、前記使用者の座席表を含む、ことを特徴とする請求項４に機器管理システム。
【請求項６】
前記機器管理情報保持手段が、前記機器情報および使用者情報が所定期間更新されていない機器を抽出する更新監視手段を有する、ことを特徴とする請求項１乃至請求項５いずれか一項に記載の機器管理システム。
【請求項７】
前記機器管理情報出力手段が、前記更新監視手段が抽出した前記機器の表示を他の機器の表示と異なるように出力する出力制御手段を備えている、ことを特徴とする請求項６に記載の機器管理システム。
【請求項８】
データ通信を行うためのネットワークと、前記ネットワークに接続する機器を管理する機器管理手段と、を有する機器管理システムの制御方法であって、前記機器管理手段が、前記ネットワークから前記機器を識別する機器情報を取得し、前記ネットワークから前記機器の使用者を識別する使用者情報を取得し、前記使用者の所在を表す使用者所在情報を保持し、前記機器情報と前記使用者情報と前記使用者所在情報との対応を表す機器管理情報を保持する、ことを有することを特徴とする機器管理システムの制御方法。
【請求項９】
前記機器管理手段が、前記機器管理情報を出力することを特徴とする請求項９に記載の機器管理システムの制御方法。
【請求項１０】
データ通信を行うためのネットワークと、前記ネットワークに接続する機器を管理する機器管理手段と、を有する機器管理システムの制御プログラムであって、前記機器管理手段が、前記ネットワークから前記機器を識別する機器情報を取得するステップと、前記ネットワークから前記機器の使用者を識別する使用者情報を取得するステップと、前記使用者の所在を表す使用者所在情報を保持するステップと、前記機器情報と前記使用者情報と前記使用者所在情報との対応を表す機器管理情報を保持するステップと、を有することを特徴とする機器管理システムの制御プログラム。
【発明の詳細な説明】
【技術分野】
【０００１】
本発明は、機器管理システム、およびその制御方法、およびその制御プログラムに関する。
【背景技術】
【０００２】
企業などでは、パーソナルコンピュータ、プリンタ、複合機など多数のＯＡ機器がネットワークにつながれ使用されている。また生産ラインにおいても種々の設備や機器がネットワークに接続され使用されている。このように使用する機器の数が増えるにしたがって、それぞれの機器の所在を正確に把握することが困難となってきている。とりわけ機器の移動、使用者の異動があった場合、不明品の発生するリスクが高くなっている。
【０００３】
このような問題を解決するための方法が、例えば特許文献１に開示されている。特許文献１では、管理装置が、機器が接続されたネットワークセグメントのアドレス（例えばルータのＩＰアドレス）と、機器固有の識別情報（例えばＭＡＣアドレス）と、を取得する。これにより、当該機器がどのネットワークセグメントに接続されているかを特定する。そしてネットワークセグメントの配置図を参照することで、機器が配置された場所を特定することができる。また機器が移動した場合にも、新しい接続先のネットワークセグメントに情報を更新することで機器の移動を把握し、配置場所を正しく把握することができる。
【先行技術文献】
【特許文献】
【０００４】
【特許文献１】特開２０１２−２２１１４４号公報
【発明の概要】
【発明が解決しようとする課題】
【０００５】
しかしながら、特許文献１の技術では、フロアに固定されたネットワークセグメントに機器が接続されていないと場所が把握できないという問題点がある。現在のように移動体通信が発達し、無線でネットワークにアクセスすることが当たり前になってくると、所在が不明な機器が増大してしまう。
【０００６】
本発明は、上記の課題に鑑みてなされたものであり、機器が、フロアに固定されたネットワークセグメントに接続していなくても、その所在を把握する方法を提供することを目的としている。
【課題を解決するための手段】
【０００７】
上記の課題を解決するため、本発明の機器管理システムは、データ通信を行うためのネットワークと、前記ネットワークに接続する機器を管理する機器管理手段と、を有し、前記機器管理手段は、前記ネットワークから前記機器を識別する機器情報を取得する機器情報取得手段と、前記ネットワークから前記機器の使用者を識別する使用者情報を取得する使用者情報取得手段と、前記使用者の所在を表す使用者所在情報を保持する使用者所在情報保持手段と、前記機器情報と前記使用者情報と前記使用者所在情報との対応を表す機器管理情報を保持する機器管理情報保持手段と、を有している。
【発明の効果】
【０００８】
本発明の効果は、固定されたネットワークセグメント以外からネットワークにアクセスする機器の所在を把握できることである。
【図面の簡単な説明】
【０００９】
【図１】本発明第１の実施の形態を示すブロック図である。
【図２】本発明第２の実施の形態を示すブロック図である。
【図３】本発明第２の実施の形態の機器管理表の表示例である。
【図４】本発明第３の実施の形態を示すブロック図である。
【図５】本発明第３の実施の形態の機器管理座席表の表示例である。
【図６】本発明第４の実施の形態の動作を示すフローチャートである。
【図７】本発明第４の実施の形態の機器管理座席表の初期表示例である。
【図８】本発明第４の実施の形態の機器管理座席表の表示例である。
【図９】本発明第４の実施の形態の移動後の機器管理座席表表示例である。
【図１０】本発明第５の実施の形態の一例を示す表である。
【図１１】本発明第５の実施の形態の一例を示すレイアウト図である。
【図１２】本発明第６の実施の形態を示すブロック図である。
【図１３】本発明第６の実施の形態の一例を示す機器管理座席表である。
【図１４】本発明第６の実施の形態の応用例を示す機器管理座席表である。
【発明を実施するための形態】
【００１０】
以下、図面を参照しながら本発明について詳細に説明する。
（第１の実施の形態）
図１は本発明第１の実施の形態を示すブロック図である。機器管理手段１００は、データ通信を行うためのネットワーク１に接続している。機器管理手段１００は、機器情報取得手段１１０と、使用者情報取得手段１２０と、使用者所在情報保持手段１３０と、機器管理情報保持手段１４０と、を有している。
【００１１】
機器情報取得手段１１０は、ネットワーク１から機器Ｅを識別する機器情報２を取得する。
【００１２】
使用者情報取得手段１２０は、使用者Ｕを識別する使用者情報３を取得する。
【００１３】
使用者所在情報保持手段１３０は、使用者Ｕの所在を表す使用者所在情報４を保持する。
【００１４】
機器管理情報保持手段１４０は、機器情報２と使用者情報３と使用者所在情報４との対応を表す機器管理情報５を保持する。
【００１５】
なお図中で、Ｅ１、Ｅ２、・・・と記したものは固定されたネットワークセグメントに接続される機器、Ｅｍ１、Ｅｍ２、・・・と記したもの無線でネットワーク１にアクセスする機器として例示している。
【００１６】
以上の構成とすることにより、機器管理情報５を用いてネットワーク１に接続する機器Ｅの所在を迅速に把握することができる。
（第２の実施の形態）
図２は、本発明第２の実施の形態を示すブロック図である。本実施の形態の機器管理手段１００は、第１の実施の形態に加えて機器管理情報出力手段１５０を有している。機器管理情報出力手段は、機器管理情報５を出力する。具体的には、紙類に印刷する、画像表示装置に表示するといった動作を行う。
【００１７】
図３は、機器管理情報５を機器管理表６として一覧表示した具体例を示している。機器情報２は、機器Ｅを一意に識別する識別子である。識別子としては例えばネットワーク１を介して機器ＥのＭＡＣアドレス（Ｍｅｄｉａ  Ａｃｃｅｓｓ  Ｃｏｎｔｒｏｌ  ａｄｄｒｅｓｓ）を取得する。そして対応する品名コードなどに変換して用いることができる。ここでは、機器情報２をＰＣ−ＸＸＸ（例えば＝パーソナルコンピュータのコード）として表示した例を示している。機器管理表６には機器情報２をキーとして、対応する使用者Ｕと使用者所在情報４とが一目で判別できるようになっている。これを用いて機器Ｅの所在を、使用者Ｕの所在と紐付けて把握し、管理することができる。
（第３の実施の形態）
図４は、本実施の形態を示すブロック図である。機器管理手段１００はフロアレイアウト情報保持手段１６０を有している。フロアレイアウト情報保持手段１６０は、工場や事務所などのフロアレイアウト情報を保持する手段である。フロアレイアウトとは、フロアの見取り図などの情報である。工場のフロアレイアウトであれば冷却水、圧縮空気などユーティリティ系統図、事務所であれば座席表といった情報を含んでいても良い。
【００１８】
図５は、機器管理情報５を、使用者の座席表とともに機器管理座席表７として出力した例を示している。座席表は、フロア内のどこに使用者Ｕが位置しているかを示すものである。機器管理座席表７では、使用者の位置と機器が紐付いているため、機器Ｅの所在を把握できる。また図５の中で、ＭＣと記したものはここではモバイルコンピュータを表している。このコンピュータは無線で外部からネットワークにアクセス可能とする。この場合も、その使用者Ｕの座席が一目で把握できるようになっている。図５の例では、ＭＣ−００１は、現在Ｄ氏が使用中であることが分かる。
（第４の実施の形態）
本実施の形態では、機器情報２、使用者情報３を取得し、機器管理情報５を作成する仕組みを示す。
【００１９】
図６は、機器管理情報５を作成するための機器管理手段１００の動作を示すフローチャートである。以下、図６を参照しながら動作について説明する。
【００２０】
（Ｓ１）まず、機器Ｅがネットワーク１にアクセスを試みると、機器管理手段１００はアクセス要求を受信する。
【００２１】
（Ｓ２）これを受けて、機器管理手段１００は使用者情報３の入力を要求する。この時、ネットワーク１が許可された使用者以外のアクセスを制限するものであれば、使用者情報３の他に認証情報を要求する。認証情報としてはパスワード、生体情報など任意のものを用いることができる。なお、本発明においては、使用者を一意に特定できる使用者情報３が得られれば良く、認証の有無、方法によって適用範囲が限定されるものではない。
【００２２】
（Ｓ３）次に機器管理手段１００は、使用者情報３を受信する。
【００２３】
（Ｓ４）そして機器Ｅのログインを受け付ける。
【００２４】
（Ｓ５）次に機器管理手段１００は、機器Ｅを一意に特定する機器情報２を取得する。
【００２５】
（Ｓ６）次に、取得した機器情報２と使用者情報３および保持している使用者所在情報４を用いて機器管理情報５を更新する。
【００２６】
以上のようにして、機器管理手段１００は、機器Ｅがネットワーク１に接続されるだけで、機器管理情報５を最新のものに更新し、機器Ｅの所在を明らかにすることができる。
【００２７】
次に、機器管理情報５が出力される仕組みについて、説明する。図７〜９は、機器管理座席表７に機器管理情報５を出力する具体例を示している。図７は、機器Ｅがネットワーク１に接続する前の機器管理座席表７ａである。使用者の座席のみが配置され、機器情報２が表示される氏名の下段は空欄になっている。次に、使用者が各自の機器Ｅを用いてネットワーク１にログインする。すると、
前記した動作により機器管理情報５が更新され、図８のように各使用者名の下欄に機器情報２が表示される。
【００２８】
図９は、図７の状態から、Ｃ氏とＤ氏が機器Ｅ（例えばパソコン）を交換した状態を示している。Ｃ氏の機器がＰＣ−００８からＭＣ−０９２に、Ｄ氏機器がＭＣ−０９２からＰＣ００８に書き換わっている。この書換えは、それぞれの使用者が、新しい機器Ｅを用いて自分の使用者名でログインするだけで完了する。なお、ＭＣ−０９２は、機器管理座席表７に表示されない別の場所から無線でネットワーク１にアクセスしたものとする。この場合、現在座席表の場所にない機器Ｅであっても、その所在が明らかにできたことになる。また、図９に示すように、変更のあった座席を色変更したりブリンクしたりして、認識しやすくすることもできる。そして、その表示を一定期間持続するような設定としてもよい。
（第５の実施の形態）
機器情報２および使用者情報３には識別情報以外の情報を有していても良い。これら追加情報はネットワーク１を介して機器から取得しても良いし、識別子と紐付いた登録情報として機器管理手段１００に保持されていても良い。
【００２９】
図１０はこのような追加情報を加えた機器管理表６ａを表示した出力例を示している。この例は、工場内の設備に関するもので、機器情報２として、資産番号、ＭＡＣアドレス、設置場所を表示している。また使用者情報として、メールアドレスと電話番号を表示している。
【００３０】
図１１は、図１０と同じ機器管理情報５を用いて出力したフロアレイアウト図８の例である。フロア内の所定位置に、成膜装置＃１、露光機＃２、・・・が配置されている。そして各機器には、使用者Ｕ（工場では例えば管理責任者）の氏名、および使用者所在情報４としてのメールアドレス、電話番号が付されている。
【００３１】
このようなフロアレイアウト図８を用いると、一目で当該機器の問合せ先を把握することができる。
（第６の実施の形態）
本発明においても、電源が入っていない、あるいはネットワーク１に接続していない機器については、現在の所在を確定することができない。本実施の形態は、そのような場合に補助的な機器管理情報５を表示する方法を提供する。
【００３２】
図１２は本実施の形態を示すブロック図である。本実施の形態の機器管理手段１００は、機器情報保持手段１４０に更新監視手段１４１、機器管理情報出力手段１５０に出力制御手段１５１を備えている。
【００３３】
更新監視手段１４１は、機器管理情報５の中の機器情報２、使用者情報を巡回監視し、更新が所定期間されていない機器Ｅを抽出する。そして、その情報を出力制御手段１５１に送信する。出力制御手段１５１は、当該機器の表示を所在が確定している機器とは異なるように表示する。例えば図１３のＰＣ−０２９（使用者Ｅ氏）のように色を付けたり、ブリンクさせたりする。このように表示することにより、管理者は、所在が怪しくなっている機器Ｅの存在を一目で認識することができる。
【００３４】
図１４は、図１３の応用例である。この例では、所在が怪しくなっている機器の表示をクリックすると、前回の接続日時が表示される。管理者は、使用者に対して問合せを行うなどの措置を迅速に行うことができる。
【符号の説明】
【００３５】
１    ネットワーク
２    機器情報
３    使用者情報
４    使用者所在情報
５    機器管理情報
６    機器管理表
７    機器管理座席表
８    フロアレイアウト図
１００    機器管理手段
１１０    機器情報取得手段
１２０    使用者情報取得手段
１３０    使用者所在情報保持手段
１４０    機器管理情報保持手段
１４１    更新監視手段
１５０    機器管理情報出力手段
１５１    出力制御手段
１６０    フロアレイアウト情報保持手段
Ｅ    機器
Ｕ    使用者
【図１】
2015230593.tif 000003
【図２】
2015230593.tif 000004
【図３】
2015230593.tif 000005
【図４】
2015230593.tif 000006
【図５】
2015230593.tif 000007
【図６】
2015230593.tif 000008
【図７】
2015230593.tif 000009
【図８】
2015230593.tif 000010
【図９】
2015230593.tif 000011
【図１０】
2015230593.tif 000012
【図１１】
2015230593.tif 000013
【図１２】
2015230593.tif 000014
【図１３】
2015230593.tif 000015
【図１４】
2015230593.tif 000016